(57)【要約】【課題】複数個を組み合わせて、直列接続または並列接続することにより効率よく蓄電デバイスモジュールを構成することが可能な蓄電デバイスおよびそれを用いた蓄電デバイスモジュールを提供する【解決手段】互いに対向する辺の一方の辺である第１の辺１から引き出された第１の電極端子１１と、他方の辺である第２の辺２から引き出された第２の電極端子１２とを備えた蓄電デバイス１０において、（ａ）第１の電極端子は、第１の辺の中央部と第２の辺の中央部を結ぶ中心線Ｌ１が通る領域を含みつつ、第１の電極端子の幅方向の中央部が、中心線とは幅方向においてずれた位置に配設され、（ｂ）第２の電極端子は、蓄電デバイスの中心Ｃを回転中心として１８０°回転させた場合、および、中心線と直交し、かつ中心Ｃを通る線Ｌ２を回転軸として１８０°回転させた場合のいずれの場合にも、その一部のみが第１の電極端子と重なる位置に配設された構成とする。【選択図】図２
2015056347.tif 000002
【特許請求の範囲】
【請求項１】
外装体と、
前記外装体内に収容された蓄電要素と、
前記蓄電要素と電気的に接続され、外装体の互いに対向する辺の一方の辺である第１の辺から外部に引き出された第１の電極端子と、他方の辺である第２の辺から外部に引き出された第２の電極端子と
を備えた蓄電デバイスであって、
前記第１の電極端子は、平面視して、前記第１の辺の中央部と前記第２の辺の中央部を結ぶ線である中心線が通る領域を含みつつ、その引き出し方向に直交する方向である幅方向の中央部が、前記中心線とは前記幅方向においてずれた位置に配設されており、
前記第２の電極端子は、平面視して、蓄電デバイスの中心を回転中心として１８０°回転させた場合、および、平面視して、前記中心線と直交し、かつ前記中心を通る線を回転軸として１８０°回転させた場合のいずれの場合にも、その一部のみが前記第１の電極端子と重なる位置に配設されていること
を特徴とする蓄電デバイス。
【請求項２】
請求項１記載の蓄電デバイスが複数個、前記第１の電極端子および第２の電極端子を介して、直列または並列に接続されていることを特徴とする蓄電デバイスモジュール。
【請求項３】
請求項１記載の蓄電デバイスを複数個積み重ねてなる積層体を備えており、
各蓄電デバイスの前記外装体から引き出された前記第１の電極端子と前記第２の電極端子のうち、互いに接続されるべき電極端子が、前記積層体の同一端面から引き出されているとともに、
前記互いに接続されるべき電極端子が溶接により接合されていること
を特徴とする請求項２記載の蓄電デバイスモジュール。
【発明の詳細な説明】
【技術分野】
【０００１】
本発明は蓄電デバイスおよび蓄電デバイスモジュールに関し、詳しくは、蓄電要素が収容された外装体から一対の電極端子（例えば、電池の場合における正極端子と負極端子）が引き出された構造を有する蓄電デバイスおよびそれを複数個組み合わせて形成される蓄電デバイスモジュールに関する。
【背景技術】
【０００２】
リチウムイオン二次電池、リチウムイオンキャパシタ、電気二重層キャパシタなどに代表される高エネルギー密度の蓄電デバイスの１つに、例えば、シート状の集電箔（アルミニウム箔または銅箔など）に、活物質（活性炭、リチウム複合酸化物、炭素など）を塗工することにより形成されたシート状の正極部材および負極部材を、両者の接触による短絡を防ぐためのセパレータを介して積層することにより構成された積層体、電解質などを備える蓄電要素が、ラミネートフィルム（例えば、熱可塑性樹脂層間にアルミニウム箔を挟み込まれたラミネートフィルム）からなる外装体（ラミネートケース）内に収容され、かつ、板状の正極端子と負極端子とが外装体から外部に導出された構造を有する扁平な蓄電デバイス（以下、「扁平型蓄電デバイス」ともいう）が知られている。
【０００３】
近年、このような扁平型蓄電デバイス（例えば単電池）を複数積層するとともに、各扁平型蓄電デバイスを電気的に直列、あるいは並列に接続することにより、高出力あるいは高容量の蓄電デバイスモジュール（例えば組電池）とすることが行われている。
そして、このような蓄電デバイスモジュールの１つに、例えば、特許文献１や特許文献２などに提案されているような電池モジュールがある。
【０００４】
ところで、電池モジュールを構成する単電池は、通常、同一形状を有しており、それぞれの外装体から引き出される正極端子と負極端子とは、各単電池において、同じ位置から引き出されていることから、複数の単電池を積層し、意図するような態様で直列あるいは並列に接続して、所望の特性を備えた電池モジュールを得ることは必ずしも容易ではないのが実情である。
【０００５】
そこで、複数の単電池を意図するような態様で直列あるいは並列に接続して、所望の組電池を作製するためには、正極端子や負極端子などの電極端子の形状や配設位置などが異なる複数種類の単電池を用意することが必要になるが、その場合には、製造工程が複雑になったり、コストの増大を招いたりするという問題点がある。
【先行技術文献】
【特許文献】
【０００６】
【特許文献１】特開２０００−１９５４８０号公報
【特許文献１】特開２００１−２５６９３４号公報
【発明の概要】
【発明が解決しようとする課題】
【０００７】
本発明は、上記課題を解決するものであり、蓄電要素が収容された外装体から例えば、電池における場合の正極端子と負極端子などの電極端子が引き出された構造を有する蓄電デバイスを複数個、容易かつ確実に組み合わせて、効率よく製造することが可能で、生産性、経済性に優れた蓄電デバイスモジュールおよびそれに用いられる蓄電デバイスを提供することを目的とする。
【課題を解決するための手段】
【０００８】
上記課題を解決するために、本発明の蓄電デバイスは、
外装体と、
前記外装体内に収容された蓄電要素と、
前記蓄電要素と電気的に接続され、外装体の互いに対向する辺の一方の辺である第１の辺から外部に引き出された第１の電極端子と、他方の辺である第２の辺から外部に引き出された第２の電極端子と
を備えた蓄電デバイスであって、
前記第１の電極端子は、平面視して、前記第１の辺の中央部と前記第２の辺の中央部を結ぶ線である中心線が通る領域を含みつつ、その引き出し方向に直交する方向である幅方向の中央部が、前記中心線とは前記幅方向においてずれた位置に配設されており、
前記第２の電極端子は、平面視して、蓄電デバイスの中心を回転中心として１８０°回転させた場合、および、平面視して、前記中心線と直交し、かつ前記中心を通る線を回転軸として１８０°回転させた場合のいずれの場合にも、その一部のみが前記第１の電極端子と重なる位置に配設されていること
を特徴としている。
【０００９】
また、本発明の蓄電デバイスモジュールは、上記本発明の蓄電デバイスが複数個、前記第１の電極端子および第２の電極端子を介して、直列または並列に接続されていることを特徴としている。
【００１０】
また、本発明の蓄電デバイスモジュールは、
上記本発明の蓄電デバイスを複数個積み重ねてなる積層体を備えており、
各蓄電デバイスの前記外装体から引き出された前記第１の電極端子と前記第２の電極端子のうち、互いに接続されるべき電極端子が、前記積層体の同一端面から引き出されているとともに、
前記互いに接続されるべき電極端子が溶接により接合されていること
が好ましい。
【００１１】
蓄電デバイスの外装体から引き出された、互いに接続されるべき電極端子を、上記積層体の同一端面から引き出すとともに、互いに接続されるべき電極端子を溶接により接合することにより、効率よく製造することが可能な蓄電デバイスモジュールを作製することができる。
【００１２】
すなわち、上述のような構成とすることにより、第１および第２の電極端子の配設態様が同じである１種類の蓄電デバイスを用いて、蓄電デバイスが組み合わされ、かつ所定の電極端子が確実に接続された、信頼性の高い蓄電デバイスモジュールを構成することが可能になる。
【００１３】
特に、互いに接続されるべき電極端子を溶接により接合する場合、通常は、互いに接続されるべき電極端子を重ねて、上下両面側から溶接用の治具を押圧しつつ溶接を行うが、本発明の蓄電デバイスを用いることにより、接続されるべき電極端子を、両面側から溶接用の治具を押圧することが可能な位置に配設することが可能になり、本発明をより実効あらしめることができる。
【発明の効果】
【００１４】
本発明の蓄電デバイスは、上述のように、外装体の互いに対向する辺の一方の辺である第１の辺から外部に引き出された第１の電極端子と、他方の辺である第２の辺から外部に引き出された第２の電極端子とを備えた蓄電デバイスにおいて、（ａ）第１の電極端子は、平面視して、第１の辺の中央部と第２の辺の中央部を結ぶ線である中心線が通る領域を含みつつ、その引き出し方向に直交する方向である幅方向の中央部が、中心線とは幅方向においてずれた位置に配設されており、（ｂ）第２の電極端子は、平面視して、蓄電デバイスの中心を回転中心として１８０°回転させた場合、および、平面視して、中心線と直交し、かつ上記中心を通る線を回転軸として１８０°回転させた場合のいずれの場合にも、その一部のみが第１の電極端子と重なる位置に配設されていることから、平面的に回転させたり、裏返したり、裏返して回転させたりすることにより、複数の蓄電デバイスが備える電極端子のうちの所定の電極端子を互いに接続する場合における接続態様の自由度を大幅に向上させることが可能になる。
したがって、本発明の蓄電デバイスを用いることにより、複数の蓄電デバイスが高密度に組み合わされた、信頼性の高い蓄電デバイスモジュールを得ることが可能になる。
【００１５】
また、本発明の蓄電デバイスモジュールは、上記本発明の蓄電デバイスが、複数個、第１の電極端子および第２の電極端子を介して、直列または並列に接続された構成を備えているので、１種類の蓄電デバイスを用いて、各蓄電デバイスが精度よく組み合わされた信頼性の高い蓄電デバイスモジュールを提供することが可能になる。
【図面の簡単な説明】
【００１６】
【図１】本発明の一実施形態（実施形態１）にかかる蓄電デバイス（リチウムイオン二次電池）の構成を示す図であり、（ａ）は平面図、（ｂ）は正面図、（ｃ）は左側面図、（ｄ）は右側面図である。
【図２】本発明の実施形態にかかる蓄電デバイス（リチウムイオン二次電池）を用いて形成した蓄電デバイスモジュール（組電池）の構成を示す図であり、（ａ）は平面図、（ｂ）は正面図、（ｃ）は左側面図、（ｄ）は右側面図である。
【図３】図２に示した蓄電デバイスモジュール（組電池）を構成する各蓄電デバイスの配設態様を示す図であり、図３（ａ）は一番上の蓄電デバイス１０（１０ａ）、図３（ｂ）は上から二番上の蓄電デバイス１０（１０ｂ）、図３（ｃ）は上から三番上の蓄電デバイス１０（１０ｃ）、図３（ｄ）は一番下の蓄電デバイス１０（１０ｄ）の配設態様を示す図である。
【図４】本発明の実施形態にかかる蓄電デバイス（リチウムイオン二次電池）を用いて形成した他の蓄電デバイスモジュール（組電池）の構成を示す図であり、（ａ）は平面図、（ｂ）は正面図である。
【発明を実施するための形態】
【００１７】
以下に本発明の実施形態を示して、本発明の特徴とするところをさらに詳しく説明する。なお、以下の実施形態では、本発明にかかる蓄電デバイスと、それを組み合わせて作製した蓄電デバイスモジュールについて説明する。
【００１８】
［実施形態１］
図１は本発明の一実施形態（実施形態１）にかかる蓄電デバイス（リチウムイオン二次電池）の構成を示す図であり、（ａ）は平面図、（ｂ）は正面図、（ｃ）は左側面図、（ｄ）は右側面図である。
【００１９】
本発明の実施形態１にかかる蓄電デバイス（リチウムイオン二次電池）１０は、正極部材、負極部材、電解質などの蓄電要素（図示せず）が外装体２０内に収容され、蓄電要素と電気的に接続された一対の電極端子（この実施形態１では、例えば、第１の電極端子（正極端子）１１および第２の電極端子（負極端子）１２）が、外装体２０の互いに対向する第１の辺１および第２の辺２から外部に引き出された構造を有している。
【００２０】
なお、この実施形態１では、外装体２０として、例えば、熱可塑性樹脂層間にアルミニウム箔が挟み込まれたラミネートフィルムを用いて形成された外装体が用いられている。また、外装体２０の周縁部は、ラミネートフィルムを熱圧着した熱圧着部２０ａとなっている。
そして、第１の電極端子（正極端子）１１および第２の電極端子（負極端子））１２は、この熱圧着部２０ａを経て外装体２０の外部に引き出されている。
【００２１】
第１の辺１から引き出された第１の電極端子１１は、平面視して、第１の辺１と第２の辺２の中央部を結ぶ線である中心線Ｌ１が通る領域を含みつつ、中心線Ｌ１に直交する方向である幅方向の中央部が、中心線Ｌ１とは幅方向においてずれた位置に配設されている。
【００２２】
また、対向する一対の辺（第１の辺および第２の辺）１，２のうちの、他方の辺（第２の辺）２から引き出された第２の電極端子１２は、平面視して、蓄電デバイス１０の中心Ｃを回転中心として１８０°回転させた場合、および、平面視して上記中心線Ｌ１と直交し、かつ上記中心Ｃを通る線Ｌ２を回転軸として１８０°回転させた場合のいずれの場合にも、その一部のみが第１の電極端子１１と重なる位置に配設されている。
【００２３】
この実施形態１にかかる蓄電デバイス（リチウムイオン二次電池）１０は、上述のように、
（ａ）第１の電極端子（正極端子））１１が、平面視して、対向する第１および第２の辺１，２の中央部どうしを結ぶ中心線Ｌ１が通る領域を含み、かつ、電極端子１１の幅方向の中央部が、中心線Ｌ１とは、幅方向においてずれた位置に配設されているとともに、
（ｂ）第２の電極端子（負極端子）１２が、平面視して、蓄電デバイス１０の中心Ｃを回転中心として１８０°回転させた場合、および、中心線Ｌ１と直交し、蓄電デバイス１０の中心Ｃを通る線Ｌ２を回転軸として１８０°回転させた場合のいずれの場合にも、第２の電極端子１２の一部のみが第１の電極端子１１と重なる位置に配設されているため、
蓄電デバイス１０を平面的に回転させる、裏返す、裏返して回転させるなどの方法で姿勢を変えることにより、例えば、複数の蓄電デバイス１０を組み合わせて蓄電デバイスモジュール（例えば、図２に示す蓄電デバイスモジュール５０Ａ）を形成しようとした場合に、複数の蓄電デバイス１０のそれぞれが備える電極端子１１，１２のうちの所定の電極端子を互いに接続する場合における接続態様の自由度を大幅に向上させることができる。
【００２４】
次に、本発明の実施形態にかかる、図２に示す蓄電デバイスモジュール（電池モジュール）（組電池）５０Ａについて説明する。
図２は、図１（ａ）〜（ｄ）に示した本発明の実施形態１にかかる蓄電デバイス（リチウムイオン二次電池）１０を複数個組み合わせて作製した蓄電デバイスモジュール（組電池）５０Ａの構成を示す図であり、図２（ａ）は平面図、図２（ｂ）は正面図、図２（ｃ）は左側面図、図２（ｄ）は右側面図である。
【００２５】
この蓄電デバイスモジュール（組電池）５０Ａは、本発明の実施形態１にかかる蓄電デバイス（リチウムイオン二次電池）１０を４個積み重ねてなる積層体６０を備えており、各蓄電デバイス１０の外装体２０から引き出された第１の電極端子１１と第２の電極端子１２のうち、互いに接続されるべき電極端子が、積層体６０の同一端面から引き出されているとともに、互いに接続されるべき電極端子が溶接により接合され、各蓄電デバイス１０が直列に接続された構造を備えている。
【００２６】
図３は、図２に示した蓄電デバイスモジュール（組電池）５０Ａを構成する各蓄電デバイス（リチウムイオン二次電池）１０の配設態様を示す図であり、図３（ａ）は一番上の蓄電デバイス１０（１０ａ）、図３（ｂ）は上から二番上の蓄電デバイス１０（１０ｂ）、図３（ｃ）は上から三番上の蓄電デバイス１０（１０ｃ）、図３（ｄ）は一番下の蓄電デバイス１０（１０ｄ）の配設態様を示す図である。
【００２７】
図２および３を参照しつつ、さらに詳しく説明する。
図１（ａ）に示した蓄電デバイス（リチウムイオン二次電池）１０の姿勢を基準姿勢とすると、蓄電デバイスモジュール（組電池）５０Ａを構成する４個の蓄電デバイス１０のうち、図３（ａ）に示す一番上の蓄電デバイス１０（１０ａ）は、基準姿勢にある蓄電デバイス１０（図１（ａ））を、蓄電デバイス１０の中心Ｃを回転中心として、平面的に１８０°回転させた姿勢で配設されている。
【００２８】
また、図３（ｂ）に示すように、上から２番目の蓄電デバイス１０（１０ｂ）は、基準姿勢にある蓄電デバイス１０を、中心線Ｌ１を回転軸として１８０°回転させた（すなわち、基準姿勢にある蓄電デバイス１０を線Ｌ１を回転軸として表裏が逆になるように回転させた）姿勢で配設されている。
【００２９】
また、図３（ｃ）に示すように、上から３番目の蓄電デバイス１０（１０ｃ）は、基準姿勢にある一番上の蓄電デバイス１０を、中心線Ｌ１と直交し、蓄電デバイス１０の中心Ｃを通る線Ｌ２を回転軸として１８０°回転させた（すなわち、基準姿勢になる蓄電デバイス１０を線Ｌ２を回転軸として表裏が逆になるように回転させた）姿勢で配設されている。
【００３０】
さらに、図３（ｄ）に示すように、上から４番目（一番下）の蓄電デバイス１０（１０ｄ）は、図１（ａ）に示した蓄電デバイス１０と同じ姿勢すなわち基準姿勢で配設されている。
【００３１】
このような構成とした場合、図２に示すように、蓄電デバイス１０の側面に引き出された電極端子のうちの所定の電極端子を、以下に説明するような態様で接続することにより、容易かつ確実に、各蓄電デバイス（リチウムイオン二次電池）１０（１０ａ）〜１０（１０ｄ）が直列接続された蓄電デバイスモジュール（組電池）を得ることができる。
【００３２】
すなわち、蓄電デバイスモジュール５０Ａを構成する積層体６０の左端面においては、図２（ｂ），（ｃ）などに示すように、上から２番目の蓄電デバイス１０（１０ｂ）の第２の電極端子１２を２箇所でＬ字状に折り曲げて、その先端側の一部を領域１で、一番上の蓄電デバイス１０（１０ａ）の第１の電極端子１１に沿わせ、重ねられた第１の電極端子１１と第２の電極端子１２の上下両面側から溶接用の治具を押圧して、超音波溶接を行うことにより両者を接続するとともに、上から３番目の蓄電デバイス１０（１０ｃ）の第１の電極端子１１を２箇所でＬ字状に折り曲げて、その先端側の一部を領域２で、一番下の蓄電デバイス１０（１０ｄ）の第２の電極端子１２に沿わせ、重ねられた第１の電極端子１１と第２の電極端子１２の上下両面側から溶接用の治具を押圧して、超音波溶接を行うことにより両者を接続する。
【００３３】
このとき、図２（ｃ）に示すように、１番上の蓄電デバイス１０（１０ａ）の第１の電極端子１１と、上から２番目の蓄電デバイス１０（１０ｂ）の第２の電極端子１２とは、領域１において超音波溶接が行われるが、領域１では、他の部材と干渉することがなく、溶接用の治具で接続すべき第１の電極端子１１と第２の電極端子１２を上下両面側から挟み込んで確実に溶接を行うことができる。
【００３４】
また、上から３番上の蓄電デバイス１０（１０ｃ）の第１の電極端子１１と、一番下の蓄電デバイス１０（１０ｄ）の第２の電極端子１２とは、領域２において超音波溶接が行われるが、領域２でも、他の部材と干渉することがなく、溶接用の治具で接続すべき第１の電極端子１１と第２の電極端子１２を上下両面側から挟み込んで確実に溶接を行うことができる。
【００３５】
また、蓄電デバイスモジュール５０Ａを構成する積層体６０の右端面においては、図２（ｂ），（ｄ）などに示すように、上から２番目の蓄電デバイス１０（１０ｂ）の第１の電極端子１１を、２箇所でＬ字状に折り曲げて、その先端側の一部を領域３で、そのすぐ下に位置する上から３番目の蓄電デバイス１０（１０ｃ）の第２の電極端子１２に沿わせ、重ねられた第１の電極端子１１と第２の電極端子１２の上下両面側から溶接用の治具を押圧して、超音波溶接を行うことにより両者を接続する。
【００３６】
このとき、図２（ｄ）に示すように、２番上の蓄電デバイス１０（１０ｂ）の第１の電極端子１１と、上から３番目の蓄電デバイス１０（１０ｃ）の第２の電極端子１２とは、領域３において超音波溶接が行われるが、領域３では、他の部材と干渉することがなく、溶接用の治具で接続すべき第１の電極端子１１と第２の電極端子１２を上下両面側から挟み込んで確実に溶接を行うことができる。
【００３７】
また、この実施形態１の蓄電デバイスモジュール５０Ａにおいては、一番上の蓄電デバイス１０（１０ａ）の右端部の第２の電極端子１２と、一番下の蓄電デバイス１０（１０ｄ）の右側面の第１の電極端子１１とが外部と接続される端子となるが、その場合も、図２（ｂ），（ｄ）に示すように、第１および第２の電極端子１１，１２が、外部と接続されることになる領域４，５は、他の部材と干渉することがないため、例えば、超音波溶接により第１および第２の電極端子１１，１２と外部とを接続する場合にも、確実な溶接を行い、信頼性の高い接続を行うことができる。
【００３８】
なお、この実施形態１では、接続されるべき電極端子を互いに当接させた状態で、上下両面側から溶接用の治具を押圧しつつ超音波溶接を行い、両者を互いに接続させるようにした場合について説明したが、互いに接続されるべき電極端子間に導電性のスペーサを配置し、その状態で溶接を行って、互いに接続されるべき電極端子間を接続するように構成することも可能である。
【００３９】
また、この実施形態１では、超音波溶接の方法で電極端子どうしを溶接するようにしたが、溶接方法は超音波溶接の方法に限られるものではなく、抵抗溶接などの他の溶接方法を適用することも可能である。
【００４０】
［実施形態２］
また、図４は、本発明の他の実施形態（実施形態２）にかかる蓄電デバイスモジュール（組電池）５０Ｂを示す正面図であり、図４（ａ）は平面図、図４（ｂ）は正面図である。なお、図４（ａ），（ｂ）において、図１〜３と同一符号を付した部分は同一または相当する部分を示す。
【００４１】
この蓄電デバイスモジュール（組電池）５０Ｂは、図１（ａ）〜（ｄ）に示した本発明の一実施形態にかかる蓄電デバイス（リチウムイオン二次電池）１０を４個積層して、並列に接続することにより形成された蓄電デバイスモジュールである。
【００４２】
この蓄電デバイスモジュール（組電池）５０Ｂにおいては、４個の蓄電デバイス（リチウムイオン二次電池）１０（１０ａ〜１０ｄ）は、いずれも蓄電デバイス１０を、図１（ａ），図３（ｄ）に示す姿勢と同じ姿勢、すなわち基準姿勢で積層するとともに、積層体６０の右端部に引き出された各第１の電極端子１１を、図４（ｂ）に示すように、互いに接続するとともに、左端部に引き出された第２の電極端子１２を、図４（ｂ）に示すように、互いに接続することにより形成されている。
【００４３】
この実施形態２の場合も、第１の電極端子１１どうしの接続、および、第２の電極端子１２どうしの接続は、上記実施形態１の場合と同様に、重ねた第１の電極端子１１あるいは重ねた第２の電極端子１２の上下両面側から溶接用の治具を押圧しつつ、超音波溶接を行う方法により接続した。
【００４４】
４個の蓄電デバイス（リチウムイオン二次電池）１０が並列に接続された、この実施形態２の蓄電デバイスモジュール（組電池）５０Ｂにおいては、第１の電極端子１１が領域６において接続され、第２の電極端子１２が領域７において接続されているが、領域６，７においては、他の部材と干渉することなく、溶接用の治具で接続すべき各電極端子を上下両面側から挟み込んで溶接を行うことができる。
【００４５】
また、各第１の電極端子１１が接合された接合部および各第２の電極端子１２が接合された接合部と外部との接続も、同様に他の部材と干渉することがなく、溶接用の治具で接続すべき部位を上下両面側から挟み込んで確実な溶接を行うことができる。
【００４６】
この実施形態２の場合にも、互いに接続されるべき電極端子間に導電性のスペーサを配置し、その状態で溶接を行って、互いに接続されるべき電極端子間を接続させるように構成することが可能である。
【００４７】
また、上記実施形態１および２では、４個の蓄電デバイス（リチウムイオン二次電池）１０を組み合わせて蓄電デバイスモジュール（組電池）５０Ａ，５０Ｂを形成したが、組み合わされる蓄電デバイスの数は、４個に限られるものではなく、３個以下、あるいは５個以上とすることも可能である。
【００４８】
また、蓄電デバイスの互いに対向する第１および第２の辺から引き出された第１の電極端子、第２の電極端子の、第１および第２の辺における形成位置、第１の電極端子と第２の電極端子の位置関係や形状などは、上記実施形態１および２に限定されるものではなく、発明の範囲において変形を加えることが可能である。
【００４９】
また、本発明の蓄電デバイスにおいては、第１および第２の電極端子を、折り曲げ加工などを行うことができるように、長い目に形成しておき、複数のチップ型電子部品を組み合わせて蓄電デバイスモジュールを作製した後、第１および第２の電極端子の余剰部分を切断して長さを揃えるように構成することも可能である。
【００５０】
また、上記実施形態では、蓄電デバイスがリチウムイオン二次電池であり、蓄電デバイスモジュールが、上記実施形態のリチウムイオン二次電池を複数個組み合わせて形成した組電池（電池モジュール）である場合を例にとって説明したが、本発明は、リチウムイオンキャパシタ、電気二重層キャパシタなどの蓄電デバイス、それ用いて形成される蓄電デバイスモジュールに広く適用することが可能である。
【００５１】
本発明は、さらにその他の点においても上記実施形態および変形例に限定されるものではなく、外装体の具体的な形状や構造、接続されるべき電極端子を接続するために変形させる際の変形の態様などに関し、発明の範囲内において、種々の応用、変形を加えることが可能である。
【符号の説明】
【００５２】
１                  外装体の第１の辺
２                  外装体の第２の辺
１０                蓄電デバイス（リチウムイオン二次電池）
１０ａ              積層体の一番上の蓄電デバイス
１０ｂ              積層体の上から２番目の蓄電デバイス
１０ｃ              積層体の上から３番目の蓄電デバイス
１０ｄ              積層体の一番下の蓄電デバイス
１１                第１の電極端子（正極端子）
１２                第２の電極端子（負極端子）
２０                外装体
２０ａ              熱圧着部
５０Ａ              蓄電デバイスを直列接続した蓄電デバイスモジュール
５０Ｂ              蓄電デバイスを並列接続した蓄電デバイスモジュール  
６０                蓄電デバイスの積層体
Ｃ                  蓄電デバイスの中心
Ｌ１                中心線
Ｌ２                中心線と直交し蓄電デバイスの中心を通る線
【図１】
2015056347.tif 000003
【図２】
2015056347.tif 000004
【図３】
2015056347.tif 000005
【図４】
2015056347.tif 000006